(57)【要約】  本発明に係る空気調和装置の室外機(1)は、筐体(10)と、平面視において前記筐体の角部となる位置の少なくとも２箇所に設けられた把持部(20)と、を備え、前記把持部のそれぞれは、外郭を構成する外郭部(30)と、前記外郭部の上部から下方へ向かって突出し、横方向に延びる指掛かり部(40)と、を備え、前記外郭部のそれぞれには、水平方向で且つ前記横方向と垂直となる方向から観察した際に前記指掛かり部の下端部が露出するように、第１開口部(51)が形成され、前記外郭部のそれぞれの前記横方向の端部のうちの一方の端部には、前記指掛かり部の下方となる位置に形成され、前記第１開口部と連なる第２開口部(52)と、前記指掛かり部の後方となる位置に形成され、前記第２開口部と連なる第３開口部(53)とが形成されている。
2020016989.tif 000002
【特許請求の範囲】
【請求項１】
筐体と、  平面視において前記筐体の角部となる位置の少なくとも２箇所に設けられた把持部と、  を備え、  前記把持部のそれぞれは、  外郭を構成する外郭部と、  前記外郭部の上部から下方へ向かって突出し、横方向に延びる指掛かり部と、  を備え、  前記外郭部のそれぞれには、  水平方向で且つ前記横方向と垂直となる方向から観察した際に前記指掛かり部の下端部が露出するように、第１開口部が形成され、  前記外郭部のそれぞれの前記横方向の端部のうちの一方の端部には、  前記指掛かり部の下方となる位置に形成され、前記第１開口部と連なる第２開口部と、  前記指掛かり部の後方となる位置に形成され、前記第２開口部と連なる第３開口部とが形成されている空気調和装置の室外機。
【請求項２】
隣接する２つの前記把持部は、前記横方向が前記筐体の前後方向に沿った方向となっている請求項１に記載の空気調和装置の室外機。
【請求項３】
隣接する２つの前記把持部は、前記横方向が前記筐体の左右方向に沿った方向となっている請求項１に記載の空気調和装置の室外機。
【請求項４】
前記把持部のそれぞれは、  作業者の指のうちの少なくとも３本以上の指の基節骨部分が、前記指掛かり部の前記下端部と接触する構成である請求項１〜請求項３のいずれか一項に記載の空気調和装置の室外機。
【発明の詳細な説明】
【技術分野】
【０００１】  本発明は、作業者が把持する把持部を備えた空気調和装置の室外機に関するものである。
【背景技術】
【０００２】  空気調和装置の室外機の運搬時、及び室外機の据付時等の施工時、作業者は室外機を上下方向に移動させることがある。また、室外機の運搬時、及び室外機の施工時、作業者は、室外機を水平方向に移動させることがある。このため、室外機の筐体には、把持部が取り付けられている（例えば特許文献１参照）。そして、作業者は、室外機の把持部を把持し、室外機を移動させる。具体的には、作業者は、親指以外の４本の指を把持部に挿入し、これら４本の指で室外機の荷重を支持しながら、室外機を移動させる。なお、把持部は、ハンドルと称される場合もある。
【先行技術文献】
【特許文献】
【０００３】
【特許文献１】特開平８−９４１２７号公報
【発明の概要】
【発明が解決しようとする課題】
【０００４】  作業者の手のサイズは千差万別である。また、作業者は、室外機を移動させる際の安全上の観点から、手袋等の保護具を手にはめて把持部を把持することとなる。このため、把持部は、大きいことが好ましい。【０００５】  しかしながら、室外機の筐体には、電気部品、圧縮機、配管及び熱交換器等の内容物が収容されている。そして、近年、空気調和装置の高性能化及び小型化の要望により、筐体内において内容物が占める領域が大きくなっている。このため、近年の室外機の筐体においては、把持部の設置領域が小さくなってきている。したがって、室外機の筐体に大きな把持部を設けることが難しい。【０００６】  したがって、従来の室外機においては、作業者が室外機を移動させる際に親指以外の４本の指を把持部に挿入した際、把持部の幅が狭いために各指の指先しか把持部に挿入できず、各指の指先で室外機の荷重を支持しなければならない。このため、従来の室外機は、作業者が室外機を移動させる際に重く感じてしまい、作業性が悪いという課題があった。【０００７】  本発明は、上述の課題を解決するためになされたものであり、空気調和装置の室外機を移動させる際の作業性を従来よりも向上させることができる空気調和装置の室外機を得ることを目的とする。
【課題を解決するための手段】
【０００８】  本発明に係る空気調和装置の室外機は、筐体と、平面視において前記筐体の角部となる位置の少なくとも２箇所に設けられた把持部と、を備え、前記把持部のそれぞれは、外郭を構成する外郭部と、前記外郭部の上部から下方へ向かって突出し、横方向に延びる指掛かり部と、を備え、前記外郭部のそれぞれには、水平方向で且つ前記横方向と垂直となる方向から観察した際に前記指掛かり部の下端部が露出するように、第１開口部が形成され、前記外郭部のそれぞれの前記横方向の端部のうちの一方の端部には、前記指掛かり部の下方となる位置に形成され、前記第１開口部と連なる第２開口部と、前記指掛かり部の後方となる位置に形成され、前記第２開口部と連なる第３開口部とが形成されている。
【発明の効果】
【０００９】  本発明に係る空気調和装置の室外機においては、把持部の設置領域が小さく、把持部の幅が狭い場合、人差し指又は小指の少なくとも一部を、把持部の横方向端部に形成された第２開口部及び第３開口部から、把持部の外部にはみ出させることができる。このため、本発明に係る空気調和装置の室外機においては、作業者は、把持部に挿入する指を、指先よりも根元側まで把持部に挿入することができる。このため、本発明に係る空気調和装置の室外機を移動させる際、作業者は、指先よりも根元部分である中節骨部分又は基節骨部分で室外機の荷重を支持することができる。したがって、本発明に係る空気調和装置の室外機を移動させる際、作業者は、従来よりも重く感じない。このため、本発明に係る空気調和装置の室外機は、該室外機を移動させる際の作業性を従来よりも向上させることができる。
【図面の簡単な説明】
【００１０】
【図１】本発明の実施の形態１に係る空気調和装置の室外機を前側から見た斜視図である。
【図２】本発明の実施の形態１に係る空気調和装置の室外機の把持部を示す斜視図である。
【図３】本発明の実施の形態１に係る空気調和装置の室外機の把持部を示す図である。
【図４】本発明の実施の形態２に係る空気調和装置の室外機を前側から見た斜視図である。
【図５】本発明の実施の形態３に係る空気調和装置の室外機を前側から見た斜視図である。
【図６】本発明の実施の形態４に係る空気調和装置の室外機の把持部を示す縦断面図である。
【発明を実施するための形態】
【００１１】実施の形態１．  図１は、本発明の実施の形態１に係る空気調和装置の室外機を前側から見た斜視図である。  本実施の形態１に係る空気調和装置の室外機１は、例えば略直方体の筐体１０を備えている。具体的には、筐体１０は、前面部１１、背面部１２、右側面部１３、左側面部１４、天面部１５、及び底面部１６を備えている。前面部１１は、筐体１０の前面部分を構成する。背面部１２は、筐体１０の背面部分を構成する。右側面部１３は、筐体１０を正面側から見た際、筐体１０の右側の側面部分を構成する。左側面部１４は、筐体１０を正面側から見た際、筐体１０の左側の側面部分を構成する。天面部１５は、筐体１０の天面部分を構成する。底面部１６は、筐体１０の底面部分を構成する。
【００１２】  筐体１０には、吸込口１７及び吹出口１８が形成されている。吸込口１７は、左側面部１４から背面部１２にかけて形成されている。吹出口１８は、前面部１１に形成されている。また、筐体１０には、内容物として、熱交換器２及びプロペラファン３が収容されている。具体的には、熱交換器２は、吸込口１７と対向するように、筐体１０に収容されている。プロペラファン３は、吹出口１８と対向するように、筐体１０に収容されている。また、筐体１０には、電気部品、圧縮機、及び配管等の内容物も収容されている。
【００１３】  なお、図１で示した室外機１は、プロペラファン３を２つ搭載した大容量型の室外機となっているが、これはあくまでも本実施の形態１に係る室外機１の一例である。本実施の形態１に係る室外機１は、例えば、プロペラファン３を１つ搭載した小容量型の室外機であってもよい。また例えば、図１で示した室外機１は横吹き型の室外機となっているが、室外機１は、縦吹き型の室外機であってもよい。
【００１４】  また、室外機１は、平面視において筐体１０の角部となる位置の少なくとも２箇所に、把持部２０が設けられている。すなわち、室外機１は、少なくとも２つの把持部２０を備えている。室外機１の運搬時、室外機１の据付時等の施工時、作業者は室外機１を上下方向に移動させることがある。また、室外機１の運搬時、及び室外機１の施工時、作業者は、室外機１を水平方向に移動させることがある。この際、作業者は、室外機１の把持部２０を把持し、室外機１を移動させる。なお、把持部２０は、ハンドルと称される場合もある。
【００１５】  具体的には、本実施の形態１に係る室外機１は、４つの把持部２０を備えている。４つの把持部２０のうちの１つである把持部２１は、前面部１１と左側面部１４との間の角部に設けられている。４つの把持部２０のうちの１つである把持部２２は、背面部１２と左側面部１４との間の角部に設けられている。４つの把持部２０のうちの１つである把持部２３は、前面部１１と右側面部１３との間の角部に設けられている。４つの把持部２０のうちの最後の１つである把持部は、図１では見えないが、背面部１２と右側面部１３との間の角部に設けられている。以降、背面部１２と右側面部１３との間の角部に設けられている把持部を、把持部２４と称する。
【００１６】  なお、一人の作業者によって室外機１を持ち上げる場合、最低２つの把持部２０が必要となる。このため、把持部２０の数は、室外機１を移動させる際に必要な人数等に応じて、２つ以上の数で適宜決定すればよい。
【００１７】  上述のように、室外機１の運搬時、室外機１の据付時等の施工時、作業者は、室外機１の把持部２０を把持し、室外機１を移動させる。都会等の密集地では、室外機１の設置場所がビル屋上であるケースもある。その場合、階段を使用して室外機１を運搬するケースもある。このため、把持部２０には、室外機１の移動時に作業者の身体的負荷を軽減でき、作業性が向上する構造が求められる。
【００１８】  ここで、従来の室外機の把持部は、該室外機を移動させる際、作業者が親指以外の４本の指を把持部に挿入し、これら４本の指で室外機の荷重を支持する構成となっている。また、作業者は老若男女となるため、作業者の手のサイズ及び形は千差万別である。また、作業者は、室外機を移動させる際の安全上の観点から、手袋等の保護具を手にはめて把持部を把持することとなる。このため、従来の室外機の把持部において作業者の身体負荷を軽減するためには、手の大きな作業者が保護具を手にはめた状態でも、親指以外の４本の指を把持部の奥まで挿入でき、これら４本の指の中節骨部分又は基節骨部分で室外機の荷重を支持することができるように、把持部の幅を十分に大きくする必要がある。
【００１９】  しかしながら、室外機の筐体には、電気部品、圧縮機、配管及び熱交換器等の内容物が収容されている。そして、近年、空気調和装置の高性能化及び小型化の要望により、筐体内において内容物が占める領域が大きくなっている。このため、近年の室外機の筐体においては、把持部の設置領域が小さくなってきている。したがって、室外機の筐体に大きな把持部を設けることが難しい。
【００２０】  したがって、従来の室外機においては、作業者が室外機を移動させる際に親指以外の４本の指を把持部に挿入した際、把持部の幅が狭いために、各指を寄せ合うようにしても各指の指先しか把持部に挿入できず、各指の指先で室外機の荷重を支持しなければならない。このため、従来の室外機は、作業者が室外機を移動させる際に重く感じてしまい、作業性が悪い。
【００２１】  そこで、本実施の形態１に係る室外機１の把持部２０は、以下のような形状となっている。なお、把持部２０のうち、把持部２２及び把持部２４は、同型状となっている。また、把持部２０のうち、把持部２１及び把持部２３は、同型状であり、把持部２２及び把持部２４を左右反転させた形状となっている。このため、以下では、把持部２２を用いて、把持部２０の形状を説明することとする。
【００２２】  図２は、本発明の実施の形態１に係る空気調和装置の室外機の把持部を示す斜視図である。図３は、本発明の実施の形態１に係る空気調和装置の室外機の把持部を示す図である。ここで、図３（ａ）は、把持部２２の正面図となっている。図３（ｂ）は、把持部２２の左側面図となっている。図３（ｃ）は、把持部２２の右側面図となっている。図３（ｄ）は、把持部２２の平面図となっている。図３（ｅ）は、把持部２２の下面図となっている。なお、把持部２０は、上述のように、平面視において筐体１０の角部となる位置に設けられている。このため、把持部２０は、２つの面部が筐体１０の外部に露出する。この際、筐体１０の外部に露出した面部のうち、水平方向の幅が大きい方の面部が前面部３１となる。例えば、把持部２２は、筐体１０の左側面部１４から露出している面部が、前面部３１となる。
【００２３】  把持部２２は、外郭部３０と、指掛かり部４０とを備えている。外郭部３０は、把持部２２の外郭を構成するものである。本実施の形態１では、外郭部３０は、略直方体形状をしており、前面部３１、背面部３２、右側面部３３、左側面部３４、天面部３５、及び底面部３６を備えている。前面部３１は、筐体１０の外部に露出した２つの面部のうちの、水平方向の幅が大きい方の面部である。背面部３２は、前面部３１と対向する面部である。把持部２２の場合、背面部３２は、筐体１０の左右方向に、前面部３１と対向する。
【００２４】  左側面部３４は、把持部２２の横方向の端部の１つを構成する箇所である。詳しくは、把持部２２を前面部３１側から観察した際、左側面部３４は、把持部２２の左側の端部を構成する。また、左側面部３４は、筐体１０の外部に露出した２つの面部のうちの、水平方向の幅が小さい方の面部である。把持部２２の左側面部３４は、筐体１０の背面部１２から露出している。右側面部３３は、把持部２２の横方向の端部の１つを構成する箇所である。詳しくは、把持部２２を前面部３１側から観察した際、右側面部３３は、把持部２２の右側の端部を構成する。換言すると、右側面部３３は、筐体１０の前後方向に、左側面部３４と対向する。すなわち、把持部２２の横方向は、筐体１０の前後方向となっている。天面部３５は、把持部２２の上部を構成する。底面部３６は、把持部２２の底面部分を構成する。
【００２５】  指掛かり部４０は、外郭部３０の上部である天面部３５から下方へ向かって突出し、横方向に延びている。すなわち、把持部２２の指掛かり部４０は、筐体１０の前後方向に延びている。この指掛かり部４０は、室外機１を移動させるときに作業者が把持部２０を握った際、作業者の指が掛かる箇所である。この際、指掛かり部４０の下端部４１には、作業者の親指以外の指のうちの少なくとも３本の指の中節骨部分又は基節骨部分が接触する。
【００２６】  また、外郭部３０には、第１開口部５１、第２開口部５２及び第３開口部５３が形成されている。第１開口部５１は、前面部３１において、指掛かり部４０の下端部４１が露出するように形成されている。換言すると、第１開口部５１は、水平方向で且つ指掛かり部４０の延びる方向である横方向と垂直となる方向から観察した際、指掛かり部４０の下端部４１が露出するように形成されている。なお、前面部３１における第１開口部５１の上部部分を指掛かり部４０として用いてもよい。この場合、第１開口部５１の上縁部が、指掛かり部４０の下端部４１となる。このような場合も、第１開口部５１は、水平方向で且つ指掛かり部４０の延びる方向である横方向と垂直となる方向から観察した際、指掛かり部４０の下端部４１が露出するように形成されていると言える。
【００２７】  第２開口部５２及び第３開口部５３は、外郭部３０の横方向の端部の１つに形成されている。詳しくは、第２開口部５２及び第３開口部５３は、外郭部３０の横方向の端部の１つを構成する面部のうち、筐体１０の外部に露出した方の面部に形成されている。このため、把持部２２の場合、第２開口部５２及び第３開口部５３は、左側面部３４に形成される。また、第２開口部５２は、指掛かり部４０の下方となる位置に形成され、第１開口部５１と連なっている。第３開口部５３は、指掛かり部４０の後方となる位置に形成され、第２開口部５２と連なっている。
【００２８】  続いて、本実施の形態１に係る室外機１を移動させる際の動作について説明する。  室外機１を移動させる場合、作業者は、手の平及び親指を把持部２０の前面部３１に対向させ、親指以外の４本の指を指掛かり部４０と背面部３２との間に挿入した状態にする。なお、指掛かり部４０と背面部３２との間に親指以外の４本の指を挿入する際、第１開口部５１からこれらの指を挿入してもよいし、第２開口部５２及び第３開口部５３からこれらの指を挿入してもよい。すなわち、本実施の形態１に係る把持部２０は、横方向端部に第２開口部５２及び第３開口部５３が形成されているので、把持部２０の側方から、指掛かり部４０と背面部３２との間に親指以外の４本の指を挿入することもできる。
【００２９】  続いて、作業者は、手の平を把持部２０の前面部３１に対向させ、親指以外の４本の指を指掛かり部４０と背面部３２との間に挿入した状態で、指掛かり部４０を把持する。ここで、筐体１０において把持部２０の設置領域を大きく確保できず、把持部２０の幅方向が狭くなってしまう場合がある。換言すると、筐体１０における把持部２０の設置領域の大きさによっては、把持部２０は、指掛かり部４０が延びる方向である横方向の長さを大きくできない場合がある。
【００３０】  このような場合でも、本実施の形態１に係る把持部２０においては、人差し指又は小指の少なくとも一部を、把持部２０の横方向端部に形成された第２開口部５２及び第３開口部５３から、把持部２０の外部にはみ出させることができる。このため、本実施の形態１に係る室外機１においては、作業者は、把持部２０に挿入する指を、指先よりも根元側まで把持部２０に挿入することができる。このため、本実施の形態１に係る室外機１を移動させる際、作業者は、指先よりも根元部分である中節骨部分又は基節骨部分を、指掛かり部４０の下端部４１に当てることができる。換言すると、作業者の指のうちの少なくとも３本以上の指の中節骨部分又は基節骨部分を、指掛かり部４０の下端部４１に当てることができる。すなわち、本実施の形態１に係る室外機１を移動させる際、作業者は、指先よりも根元部分である中節骨部分又は基節骨部分で、室外機１の荷重を支持することができる。
【００３１】  このため、本実施の形態１に係る室外機１を移動させる際、作業者は、従来よりも重く感じない。すなわち、本実施の形態１に係る室外機１は、人間工学的視点から見て、作業者の身体負荷を軽減することができる。このため、本実施の形態１に係る室外機１は、該室外機１を移動させる際の作業性を従来よりも向上させることができる。なお、上述のように、本実施の形態１に係る室外機１においては、把持部２０の側方から、指掛かり部４０と背面部３２との間に親指以外の４本の指を挿入することができる。この点からも、本実施の形態１に係る室外機１は、該室外機１を移動させる際の作業性が従来よりも向上している。
【００３２】  また、本実施の形態１に係る室外機１は、該室外機１を移動させる際、指先に室外機１の荷重がかかることを防止できるので、安全性が向上するという効果も得られる。
【００３３】  また、本実施の形態１に係る把持部２０は、上述のように、横方向端部に第２開口部５２及び第３開口部５３が形成されている。このため、把持部２０を樹脂成形する際、指が挿入される空間である指掛かり部４０と背面部３２との間の空間を形成する金型部分を、第２開口部５２及び第３開口部５３から抜くことができる。このため、指掛かり部４０が延びる方向である横方向に相対移動する一対の金型により、把持部２０を樹脂成形することができる。このため、本実施の形態１に係る室外機１は、把持部２０を安価に製造できるので、該室外機１のコストを低減できるという効果も得られる。
【００３４】  以上、本実施の形態１に係る空気調和装置の室外機１は、筐体１０と、平面視において筐体１０の角部となる位置の少なくとも２箇所に設けられた把持部２０と、を備えている。把持部２０のそれぞれは、外郭を構成する外郭部３０と、外郭部３０の上部から下方へ向かって突出し、横方向に延びる指掛かり部４０と、を備えている。外郭部３０のそれぞれには、水平方向で且つ前記横方向と垂直となる方向から観察した際に指掛かり部４０の下端部４１が露出するように、第１開口部５１が形成されている。外郭部３０のそれぞれの前記横方向の端部のうちの一方の端部には、指掛かり部４０の下方となる位置に形成され、第１開口部５１と連なる第２開口部５２と、指掛かり部４０の後方となる位置に形成され、第２開口部５２と連なる第３開口部５３とが形成されている。
【００３５】  このように構成された本実施の形態１に係る室外機１においては、上述のように、作業者は、指先よりも根元部分である中節骨部分又は基節骨部分で、室外機１の荷重を支持することができる。このため、本実施の形態１に係る室外機１を移動させる際、作業者は、従来よりも重く感じない。したがって、本実施の形態１に係る室外機１は、該室外機１を移動させる際の作業性を従来よりも向上させることができる。
【００３６】実施の形態２．  本実施の形態２では、隣接する把持部２０の指掛かり部４０の向きを揃えることによって得られる効果について説明する。なお、本実施の形態２において、特に記述しない項目については実施の形態１と同様とし、同一の機能や構成については同一の符号を用いて述べることとする。
【００３７】  図４は、本発明の実施の形態２に係る空気調和装置の室外機を前側から見た斜視図である。  本実施の形態２に係る室外機１の隣接する把持部２１及び把持部２２においては、指掛かり部４０が延びる方向である横方向が、筐体１０の前後方向に沿った方向となっている。このため、把持部２１及び把持部２２の前面部３１は、筐体１０の左側面部１４から露出することとなる。また、把持部２１の右側面部３３は、筐体１０の前面部１１から露出することとなる。そして、把持部２１は、当該右側面部３３に、第２開口部５２及び第３開口部５３が形成されることとなる。また、把持部２２の左側面部３４は、筐体１０の背面部１２から露出することとなる。そして、把持部２２は、当該左側面部３４に、第２開口部５２及び第３開口部５３が形成されることとなる。
【００３８】  本実施の形態２に係る室外機１においては、同一の作業者が把持部２１及び把持部２２を把持して室外機１を移動させる際、図４に白抜き矢印で示すように、作業者は把持部２１及び把持部２２に手の指を挿入することができる。詳しくは、作業者は、筐体１０の前面部１１側から、右手１０１の指を把持部２１に挿入することができる。また、作業者は、筐体１０の背面部１２側から、左手１０２の指を把持部２２に挿入することができる。したがって、本実施の形態２のように把持部２１及び把持部２２を筐体１０に設置することにより、作業者が把持部２１及び把持部２２に指を挿入する動作が容易となり、室外機１を移動させる際の作業性をより向上させることができる。
【００３９】  なお、隣接する把持部２３及び把持部２４においても、指掛かり部４０が延びる方向である横方向を、筐体１０の前後方向に沿った方向としてもよい。把持部２３及び把持部２４を把持して室外機１を移動させる作業者の作業性が向上する。
【００４０】実施の形態３．  本実施の形態３のように、隣接する把持部２０の指掛かり部４０の向きを揃えてもよい。なお、本実施の形態３において、特に記述しない項目については実施の形態１又は実施の形態２と同様とし、同一の機能や構成については同一の符号を用いて述べることとする。
【００４１】  図５は、本発明の実施の形態３に係る空気調和装置の室外機を前側から見た斜視図である。  本実施の形態３に係る室外機１の隣接する把持部２１及び把持部２２においては、指掛かり部４０が延びる方向である横方向が、筐体１０の左右方向に沿った方向となっている。このため、把持部２１の前面部３１は、筐体１０の前面部１１から露出することとなる。把持部２２の前面部３１は、筐体１０の背面部１２から露出することとなる。また、把持部２１の左側面部３４は、筐体１０の左側面部１４から露出することとなる。そして、把持部２１は、当該左側面部３４に、第２開口部５２及び第３開口部５３が形成されることとなる。また、把持部２２の右側面部３３は、筐体１０の左側面部１４から露出することとなる。そして、把持部２２は、当該右側面部３３に、第２開口部５２及び第３開口部５３が形成されることとなる。
【００４２】  本実施の形態３に係る室外機１においては、同一の作業者が把持部２１及び把持部２２を把持して室外機１を移動させる際、右手１０１の手の平が筐体１０の前面部１１と対向し、左手１０２の手の平が筐体１０の背面部１２の対向することとなる。これにより、作業者は、室外機１を全身で抱え込むように持つことができる。この体勢は、力を入れやすい体勢である。このため、本実施の形態３のように把持部２１及び把持部２２を筐体１０に設置することにより、身体的負担をさらに軽減することができる。したがって、本実施の形態３のように把持部２１及び把持部２２を筐体１０に設置することにより、室外機１を移動させる際、作業者の作業性及び安全性がさらに向上する。
【００４３】  なお、隣接する把持部２３及び把持部２４においても、指掛かり部４０が延びる方向である横方向を、筐体１０の左右方向に沿った方向としてもよい。把持部２３及び把持部２４を把持して室外機１を移動させる作業者の作業性及び安全性がさらに向上する。
【００４４】実施の形態４．  把持部２０の形状を本実施の形態４に示す形状とすることにより、室外機１を移動させる作業者の作業性及び安全性をさらに向上させることができる。なお、本実施の形態４において、特に記述しない項目については実施の形態１〜実施の形態３のいずれかと同様とし、同一の機能や構成については同一の符号を用いて述べることとする。
【００４５】  図６は、本発明の実施の形態４に係る空気調和装置の室外機の把持部を示す縦断面図である。なお、図６では、把持部２０を把持する手の一例として、左手１０２を記載している。  上述のように、室外機１を移動させる場合、作業者は、手の平１１１及び親指１１２を把持部２０の前面部３１に対向させ、親指以外の４本の指１１３を指掛かり部４０と背面部３２との間に挿入した状態にする。本実施の形態４に係る把持部２０においては、指掛かり部４０の上下方向の長さは、この状態で作業者の親指１１２以外の指１１３のうちの少なくとも３本以上の指１１３の基節骨部分１１４を指掛かり部４０の下端部４１に接触させた際、指１１３の指先が天面部３５に接触しない長さとなっている。
【００４６】  このように把持部２０を構成することにより、指１１３の基節骨部分１１４で、室外機１の荷重を支持することができる。指１１３の基節骨部分１１４で室外機１の荷重を支持する方が、指１１３の中節骨部分で室外機１の荷重を支持する場合と比べ、室外機１を軽く感じ、作業者の身体的負荷がより軽減される。このため、本実施の形態４のように把持部２０を構成することにより、室外機１を移動させる作業者の作業性及び安全性をさらに向上させることができる。
【符号の説明】
【００４７】  １  室外機、２  熱交換器、３  プロペラファン、１０  筐体、１１  前面部、１２  背面部、１３  右側面部、１４  左側面部、１５  天面部、１６  底面部、１７  吸込口、１８  吹出口、２０  把持部、２１  把持部、２２  把持部、２３  把持部、２４  把持部、３０  外郭部、３１  前面部、３２  背面部、３３  右側面部、３４  左側面部、３５  天面部、３６  底面部、４０  指掛かり部、４１  下端部、５１  第１開口部、５２  第２開口部、５３  第３開口部、１０１  右手、１０２  左手、１１１  手の平、１１２  親指、１１３  指、１１４  基節骨部分。
【図１】
2020016989.tif 000003
【図２】
2020016989.tif 000004
【図３】
2020016989.tif 000005
【図４】
2020016989.tif 000006
【図５】
2020016989.tif 000007
【図６】
2020016989.tif 000008
【国際調査報告】
2020016989.tif 000009
2020016989.tif 000010
2020016989.tif 000011
2020016989.tif 000012
2020016989.tif 000013
2020016989.tif 000014